(57)【要約】      （修正有）【課題】電動車椅子からベッドに良好かつ快適に移乗することができるベッド移乗装置を提供する。【解決手段】合成樹脂材料製の袋で全体を形成された袋状の形状を有する本体１２を備え、本体の内部のほぼ中央に、上段と下段に分割するように、厚いゴム製の基板１６が配置されており、本体の内部の上段および下段にはそれぞれ、可撓性材料で形成された３種類のパイプからなる複数のパイプ群１８を配置する。さらに、パイプ群１８を構成する各パイプ１８ａ，１８ｂ，１８ｃが、互いに接触して三角形の頂点となるように配列され、空気を出し入れすることができるように構成する。パイプに空気を出し入れしてパイプ群を脈動運動させることにより、車椅子利用者をベッドに移乗させたり、ベッドからベッド外に移乗させたりできるように構成する。【選択図】図２
0003159925.tif 000002
【実用新案登録請求の範囲】
【請求項１】
電動車椅子利用者のベッド移乗装置であって、
単一又は複数基の本体を備え、前記本体が、合成樹脂材料製の袋で全体を形成された袋状の形状を有しており、
前記本体の内部のほぼ中央に、内部を上段と下段に分割するように、厚いゴム製の基板が配置されており、
前記本体の内部の上段および下段には、それぞれ、可撓性材料で形成された３種類のパイプからなる複数のパイプ群が配置されており、前記パイプ群を構成する各パイプが、互いに接触して三角形の頂点となるように配列され、空気を出し入れすることができるように構成されており、
前記パイプに空気を出し入れして前記パイプ群を脈動運動させることにより、車椅子利用者をベッドに移乗させたり、ベッドからベッド外に移乗させたりするように構成されていることを特徴とする装置。
【請求項２】
前記基板が、その両縁に配置されたガイドレールに沿って移動するようになっており、前記ガイドレールに設けられた電動回転するピニオンを作動させることにより、基板を人体の軸に対してほぼ直交方向に移動させるように構成されていることを特徴とする請求項１に記載された装置。
【考案の詳細な説明】
【技術分野】
【０００１】
本考案は、電動車椅子利用者が電動車椅子からベッドに移乗する際に用いられるベッド移乗装置に関する。
【背景技術】
【０００２】
車椅子利用者の中には、上肢の機能低下のため、自走式の車椅子を使用するのが困難であり、手の僅かな動作で操作できるジョイスティックコントロール装置を設置した電動車椅子を利用している人が大勢いる。このような電動車椅子利用者が車椅子からベッドへの移乗を自力で行うのは容易ではない。そのため、ベルトの回転により利用者を車椅子からベッドに移乗させるように構成された、電動車椅子利用者のための特別に開発されたベッド移乗装置も見受けられる。
【考案の開示】
【考案が解決しようとする課題】
【０００３】
しかしながら、従来のベルト式の装置では、ベルトにごつごつとした触感があるため、利用者にとって快適性が損なわれるという課題があった。
【０００４】
本考案は、このような現状に鑑みて開発されたものであって、車椅子からベッドに良好かつ快適に移乗することができるベッド移乗装置を提供することを目的としている。
【課題を解決するための手段】
【０００５】
本願請求項１に記載された電動車椅子利用者のベッド移乗装置は、単一又は複数基の本体を備え、前記本体が、合成樹脂材料製の袋で全体を形成された袋状の形状を有しており、前記本体の内部のほぼ中央に、内部を上段と下段に分割するように、厚いゴム製の基板が配置されており、前記本体の内部の上段および下段には、それぞれ、可撓性材料で形成された３種類のパイプからなる複数のパイプ群が配置されており、前記パイプ群を構成する各パイプが、互いに接触して三角形の頂点となるように配列され、空気を出し入れすることができるように構成されており、前記パイプに空気を出し入れして前記パイプ群を脈動運動させることにより、車椅子利用者をベッドに移乗させたり、ベッドからベッド外に移乗させたりするように構成されていることを特徴とするものである。
【０００６】
本願請求項２に記載された電動車椅子利用者のベッド移乗装置は、前記請求項１の装置において、前記基板が、その両縁に配置されたガイドレールに沿って移動するようになっており、前記ガイドレールに設けられた電動回転するピニオンを作動させることにより、基板を人体の軸に対してほぼ直交方向に移動させるように構成されていることを特徴とするものである。
【考案の効果】
【０００７】
本考案のベッド移乗装置によれば、パイプへの空気の出し入れによって生ずるパイプ群の脈動運動を利用するため、車椅子利用者をベッドに快適に移乗させることができる。
【考案を実施するための最良の形態】
【０００８】
次に図面を参照して、本考案の好ましい実施の形態に係る電動車椅子利用者のベッド移乗装置について詳細に説明する。図１は、本考案の好ましい実施の形態に係るベッド移乗装置の全体を模式的に示した概略図である。図１において参照符号１０で示される本考案の好ましい実施の形態に係るベッド移乗装置は、車輪１４ａの付いた台座１４の上面に配置された３基の本体１２を備えている。
【０００９】
本体１２は、例えば合成樹脂材料製の袋１２ａで全体を形成された袋状の形状を有している。なお、図１では、本体１２が３基に分かれているが、これは、人体の頭部・上部、人体の腰部等の中間部、及び人体の下部にそれぞれ対応させるためであり、本体１２を３基にすることは必須の条件ではない。
【００１０】
本体１２の内部のほぼ中央には、本体１２の内部を上段と下段に分割するように、基板１６が配置されている。基板１６は、その両縁に配置されたガイドレール１６ａに沿って移動するようになっており、ガイドレール１６ａには、電動回転するようになったピニオン（図示せず）が設けられている。かかる構成により、ピニオンを電動回転させることにより、基板１６を人体の軸（頭部から下肢に延びる軸）に対してほぼ直交方向に移動させることができるようになっている。
【００１１】
基板１６は好ましくは、ベッドと人体の歪みに追従することができるように、厚いゴム板で形成されている。
【００１２】
本体１２の内部の上段および下段には、それぞれ、３種類のパイプ１８ａ、１８ｂ、１８ｃからなる複数のパイプ群１８が配置されている（図２に示される例では、上段および下段にそれぞれ９基のパイプ群１８が配置されている）。パイプ群１８を構成する各パイプ１８ａ、１８ｂ、１８ｃは、互いに接触して三角形の頂点となるように配列されている（図２に示される例では、パイプ１８ａが三角形の上方の頂点に位置し、パイプ１８ｂ、１８ｃが三角形の下方の左右の頂点にそれぞれ位置している）。なお、各パイプ１８ａ、１８ｂ、１８ｃは、可撓性材料で形成されている。
【００１３】
図３に示されるように、各パイプ１８ａは、弁１８ａ１を介して、パイプ１８′ａにそれぞれ接続されており、パイプ１８′ａには、空気源２０が介在されている。同様に、各パイプ１８ｂは、弁１８ｂ１を介して、パイプ１８′ｂにそれぞれ接続されており、パイプ１８′ｂには、空気源２０が介在されており、各パイプ１８ｃは、弁１８ｃ１を介して、パイプ１８′ｃにそれぞれ接続されており、パイプ１８′ｃには、空気源２０が介在されている。
【００１４】
図４は、パイプ群１８および基板１６の作動を説明するための一連の図である。図４（ａ）は、パイプ群１８および基板１６が静止している状態である。図４（ｂ）では、左側のパイプ群１８のパイプ１８ｃの空気を抜くとともに、基板１６を左方に移動させている状態を示した図である。図４（ｃ）では、真中のパイプ群１８のパイプ１８ｃの空気を抜くとともに、基板１６を左方に移動させている状態を示した図である。図４（ｄ）では、右側のパイプ群１８のパイプ１８ｃの空気を抜くとともに、基板１６を左方に移動させている状態を示した図である。図４（ｅ）では、下段のパイプ群１８のパイプ１８ａ、１８ｂ、１８ｃの空気を抜いた状態を示した図である。このように、弁を制御してパイプ群１８の所望のパイプの空気を抜くことにより、脈動運動を生じさせるとともに、基板１６を移動させることにより、本体１２上に載った人体を移動させることができる。
【００１５】
上段のパイプ群１８は、人体に接する側に位置し、上述のように脈動運動を生じさせることにより、人体を本体１２上に載せたり、人体を本体１２からベッド上に移乗させたりする役割を果たす。下段のパイプ群１８は、ベッドのシーツに接する側に位置し、上述のように脈動運動を生じさせることにより、上段のパイプ群１８と同様に、人体を本体１２上に載せたり、人体を本体１２からベッド上に移乗させたりする役割を果たす。なお、上段のパイプ群１８の作動を停止させた状態で下段のパイプ群１８を脈動運動させることにより、本体１２上に人体を載せたまま、ベッドから台座１４の上に利用者を運んだり、利用者を台座１４の上にからベッドに運んだりすることができる。基板１６は、パイプ群１８を支持する支持具としての役割も果たす。
【００１６】
次に主として図５を参照して、以上のように構成されたベッド移乗装置の使用について説明する。図５（ａ）は、ベッド上に利用者が横たわっており、ベッド脇にベッド移乗装置１０を設置した状態を示した図である。まず本体１２を脈動運動させてベッドと人体の間に本体１２を滑り込ませ（図５（ｂ）参照）、次いで人体を載せた状態で本体１２を脈動運動させて台座１４の方へ移動させる（図５（ｃ）、（ｄ）参照）。そして、人体を台座１４上に移乗させる（図５（ｅ）参照）。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００１８】
【図１】本考案の好ましい実施の形態に係るベッド移乗装置の全体を模式的に示した概略図である。
【図２】図１の線２−２に沿って見た断面図である。
【図３】パイプ群の配管系を示した図である。
【図４】パイプ群および基板の作動を示した一連の図である。
【図５】図１のベッド移乗装置の使用を説明するための一連の図である。
【符号の説明】
【００１９】
１０  ベッド移乗装置
１２  本体
１２ａ  袋
１４  台座
１４ａ  車輪
１６  基板
１６ａ  ガイドレール
１８  パイプ群
１８ａ、１８ｂ、１８ｃ  バイプ
２０  空気源
【図１】
0003159925.tif 000003
【図２】
0003159925.tif 000004
【図３】
0003159925.tif 000005
【図４】
0003159925.tif 000006
【図５】
0003159925.tif 000007